(57)【要約】      （修正有）【課題】携帯通信機器等に蓄えられた膨大な画像を、所定の被製作物に効率的に、しかも付加価値をつけて印刷することを可能にする画像印刷ビジネス方法および印刷データ生成装置を提供する。【解決手段】携帯電話機１０は、予め撮像してメモリに記憶したユーザ画像データを選択して読み出して、製本サーバ２０に送信する（ＳＴ３）。製本サーバ２０は、携帯電話機１０による指定に基づいて、データベースから読み出したテンプレートデータに基づいたパターン（画像配置）で、データベースから読み出した上記ユーザ画像データと素材画像データとを組み合わせて印刷するための印刷データを生成する（ＳＴ５）。【選択図】図３
2011039888.tif 000002
【特許請求の範囲】
【請求項１】
携帯通信機器からサーバに、前記携帯通信機器に記憶されたユーザ画像データを送信する送信工程と、
前記サーバが、前記携帯通信機器からの指示に基づいて、予め前記サーバに記憶されているテンプレートデータが示すパターンで、前記送信工程で受信した前記ユーザ画像データと、予め前記サーバに記憶されている素材画像データとを組み合わせて画像を印刷するための印刷データを生成する生成工程と、
前記生成工程で生成された前記印刷パターンに基づいて、被製作物に印刷を施す印刷工程と
を有する画像印刷ビジネス方法。
【請求項２】
前記ユーザ画像データは、前記携帯通信機器に内蔵された撮像手段で撮像されたユーザの容姿を示す画像データであり、
前記素材画像データは、アーティストまたはキャラクターの容姿を示す画像データであり、
前記生成工程は、前記ユーザとアーティストがコラボレーションしている雰囲気の前記印刷データを生成し、
前記被製作物は、本、衣服等である
請求項１に画像印刷ビジネス方法。
【請求項３】
前記生成工程は、複数の前記被製作物に対応した複数の前記テンプレートデータから選択した前記テンプレートデータを用いる
請求項１または請求項２に記載の画像印刷ビジネス方法。
【請求項４】
前記携帯通信機器からの指示に応じて、前記印刷データを編集する編集工程
をさらに有する請求項１〜３のいずれかに記載の画像印刷ビジネス方法。
【請求項５】
コンピュータからサーバに、前記コンピュータに記憶されたユーザ画像データを送信する送信工程と、
前記サーバが、前記コンピュータからの指示に基づいて、予め前記サーバに記憶されているテンプレートデータが示すパターンで、前記送信工程で受信した前記ユーザ画像データと、予め前記サーバに記憶されている素材画像データとを組み合わせて画像を印刷するための印刷データを生成する生成工程と、
前記生成工程で生成された前記印刷パターンに基づいて、被製作物に印刷を施す印刷工程と
を有する画像印刷ビジネス方法。
【請求項６】
携帯通信機器から受信したユーザ画像データを記憶する第１の記憶手段と、
素材画像データを記憶する第２の記憶手段と、
前記ユーザ画像データと、前記素材画像データとを被製作物に形成するパターンを示すテンプレートデータを記憶する第３の記憶手段と、
前記携帯通信機器からの指示に基づいて前記第３の記憶手段から読み出した前記テンプレートデータに基づいたパターンで、前記携帯通信機器からの指示に基づいて前記第１の記憶手段および前記第２の記憶手段から読み出した前記ユーザ画像データと前記素材画像データとを組み合わせて画像を印刷するための印刷データを生成する処理手段と
を有する印刷データ生成装置。
【発明の詳細な説明】
【技術分野】
【０００１】
本発明は、携帯電話等のカメラで撮像した画像を本等の被製作物に施す画像印刷ビジネス方法および印刷データ生成装置に関するものである。
【背景技術】
【０００２】
携帯電話機にはデジタルカメラが内蔵されており、ユーザによって撮像された膨大な数のデジタル画像が、携帯電話機内に保存されている。
このようなデジタル画像は、携帯電話機のディスプレイに再生して表示されたり、他のユーザの携帯電話機に転送されてディスプレイに表示されることが多い。
【発明の概要】
【発明が解決しようとする課題】
【０００３】
しかしながら、このように携帯電話機で撮像された画像は、携帯電話機のディスプレイに表示されるだけでは、十分に利用されているとはいえない。
【０００４】
本発明はかかる事情に鑑みてなされたものであり、その目的は、携帯通信機器等に蓄えられた膨大な画像を、所定の被製作物に効率的に、しかも付加価値をつけて印刷することを可能にする画像印刷ビジネス方法および印刷データ生成装置を提供することにある。
【課題を解決するための手段】
【０００５】
第１の発明の画像印刷ビジネス方法は、携帯通信機器からサーバに、前記携帯通信機器に記憶されたユーザ画像データを送信する送信工程と、前記サーバが、前記携帯通信機器からの指示に基づいて、予め前記サーバに記憶されているテンプレートデータが示すパターンで、前記送信工程で受信した前記ユーザ画像データと、予め前記サーバに記憶されている素材画像データとを組み合わせて画像を印刷するための印刷データを生成する生成工程と、前記生成工程で生成された前記印刷パターンに基づいて、被製作物に印刷を施す印刷工程とを有する。
【０００６】
好適には、本発明の画像印刷ビジネス方法では、前記ユーザ画像データは、前記携帯通信機器に内蔵された撮像手段で撮像されたユーザの容姿を示す画像データであり、前記素材画像データは、アーティストまたはキャラクターの容姿を示す画像データであり、前記生成工程は、前記ユーザとアーティストがコラボレーションしている雰囲気の前記印刷データを生成し、前記被製作物は、本、衣服等である。
【０００７】
好適には、本発明の画像印刷ビジネス方法の前記生成工程は、複数の前記被製作物に対応した複数の前記テンプレートデータから選択した前記テンプレートデータを用いる。
好適には、本発明の画像印刷ビジネス方法では、前記携帯通信機器からの指示に応じて、前記印刷データを編集する編集工程をさらに有する。
【０００８】
第２の発明の画像印刷ビジネス方法は、コンピュータからサーバに、前記コンピュータに記憶されたユーザ画像データを送信する送信工程と、前記サーバが、前記コンピュータからの指示に基づいて、予め前記サーバに記憶されているテンプレートデータが示すパターンで、前記送信工程で受信した前記ユーザ画像データと、予め前記サーバに記憶されている素材画像データとを組み合わせて画像を印刷するための印刷データを生成する生成工程と、前記生成工程で生成された前記印刷パターンに基づいて、被製作物に印刷を施す印刷工程とを有する。
【０００９】
本発明の印刷データ生成装置は、携帯通信機器から受信したユーザ画像データを記憶する第１の記憶手段と、素材画像データを記憶する第２の記憶手段と、前記ユーザ画像データと、前記素材画像データとを被製作物に形成するパターンを示すテンプレートデータを記憶する第３の記憶手段と、前記携帯通信機器からの指示に基づいて前記第３の記憶手段から読み出した前記テンプレートデータに基づいたパターンで、前記携帯通信機器からの指示に基づいて前記第１の記憶手段および前記第２の記憶手段から読み出した前記ユーザ画像データと前記素材画像データとを組み合わせて画像を印刷するための印刷データを生成する処理手段とを有する。
【発明の効果】
【００１０】
本発明によれば携帯通信機器等に蓄えられた膨大な画像を、所定の被製作物に効率的に、しかも付加価値をつけて印刷することを可能にする画像印刷ビジネス方法および印刷データ生成装置を提供することができる。
【図面の簡単な説明】
【００１１】
【図１】図１は、本発明の実施形態に係わる写真集製本システムの構成図である。
【図２】図２は、図１に示す製本サーバの機能ブロック図である。
【図３】図３は、図１に示す写真集製本システムの動作例を説明するためのフローチャートである。
【図４】図４は、本発明のその他の実施形態に係わる写真集製本システムの構成図である。
【発明を実施するための形態】
【００１２】
以下、本発明の実施形態に係わる写真集製本システムについて説明する。
＜第１実施形態＞
図１は、本発明の実施形態に係わる写真集製本システム１の構成図である。
図１に示すように、写真集製本システム１は、複数のユーザの携帯電話機１０、製本サーバ２０および製本装置３０を有する。
携帯電話機１０および製本サーバ２０は、ネットワーク９を介して通信を行う。
【００１３】
携帯電話機１０は、デジタルカメラを内蔵しており、ユーザによる撮像結果に応じたユーザ画像データを内蔵メモリに記憶している。
【００１４】
図２は、図１に示す製本サーバ２０の機能ブロック図である。
図２に示すように、製本サーバ２０は、データベース４２，４４，４６および製本プログラム４８を用いて、後述する製本サービスを行う。
データベース４２は、携帯電話機１０から受信したユーザ画像データを記憶する。
ユーザ画像データは、例えば携帯電話機１０のユーザの顔等の容姿の画像を示している。
【００１５】
データベース４４は、素材画像データを記憶する。
素材画像データは、例えばアーティストの顔等の容姿や、キャラクター、広告等の画像を示している。
【００１６】
データベース４６は、上記ユーザ画像データと上記素材画像データとを被製作物に形成するパターン（画像配置等）を示すテンプレートデータを記憶する。
テンプレートデータは、例えば、ユーザ画像データと素材画像データとを基に、ユーザとアーティストとが横に並んでいる画像等を生成するために用いられる。
また、テンプレートデータは、ユーザと、アーティストや広告とがコラボレーションしている雰囲気の画像を形成するための画像配置等を示している。
【００１７】
製本プログラム４８は、製本サーバ２０の図示しない処理回路で実行される。
製本プログラム４８は、携帯電話機１０からの指示に基づいて、データベース４６から読み出した上記テンプレートデータに基づいたパターンで、データベース４２，４４から読み出した上記ユーザ画像データと上記素材画像データとを組み合わせて印刷するための印刷データを生成する。
製本サーバ２０は、上記印刷データを製本装置３０に出力する。
【００１８】
製本装置３０は、製本サーバ２０から入力した上記印刷データを基に、ユーザ画像データに応じた画像と、素材データに応じた画像とを用いた本（例えば、写真集）を製作する。
【００１９】
以下、図１に示す写真集製本システム１の動作例を説明する。
図３は、図１に示す写真集製本システム１の動作例を説明するためのフローチャートである。
ステップＳＴ１：
ユーザは、携帯電話機１０を操作して製本サーバ２０にアクセスを行う。
【００２０】
ステップＳＴ２：
携帯電話機１０と製本サーバ２０とは、会員登録処理を行う。具体的には、製本サーバ２０が提供する会員登録画面が携帯電話機１０のディスプレイに表示され、ユーザが当該ディスプレイに従って所定の会員情報を入力する。当該会員情報は、製本サーバ２０の所定のデータベースに格納される。
【００２１】
ステップＳＴ３：
携帯電話機１０は、ユーザの操作に応じて、予め撮像してメモリに記憶したユーザ画像データを選択して読み出して、製本サーバ２０に送信する。
製本サーバ２０は、受信したユーザ画像データを図２に示すデータベース４２に書き込む。
【００２２】
ステップＳＴ４：
携帯電話機１０は、ユーザの操作に応じて、製本サーバ２０にアクセスを行い、これから製作する写真集に使用する自分の写真等を示すユーザ画像データをデータベース４２内で指定（選択）し、アーティスト等の写真の素材画像データをデータベース４４内で指定し、製本に使用するテンプレートデータをデータベース４６内で指定する。
【００２３】
ステップＳＴ５：
製本サーバ２０の製本プログラム４８は、ステップＳＴ４の上記指定に基づいて、データベース４６から読み出した上記テンプレートデータに基づいたパターン（画像配置）で、データベース４２，４４から読み出した上記ユーザ画像データと上記素材画像データとを組み合わせて印刷するための印刷データ８０を生成する。
なお、携帯電話機１０は、ユーザの操作に応じて、製本サーバ２０の編集機能を利用して、上記印刷データ８０を編集するようにしてもよい。
製本サーバ２０は、上記印刷データ８０を製本装置３０に出力する。
製本装置３０は、製本サーバ２０から入力した上記印刷データ８０を基に、ユーザ画像データに応じた画像と、素材データに応じた画像とを用いた本（例えば、写真集）を製作する。当該製作された本は、ステップＳＴ２で登録されたユーザの住所に郵送される。
なお、このとき、製本サーバ２０は携帯電話機１０に対して課金を行ってもよい。また、製作された本のなかに、広告を掲載することで、無料にしてもよい。当該広告は、例えば、図３に示すステップＳＴ２で製本サーバ２０が取得したユーザの属性データを基に、当該ユーザに適合したものが選択される。
【００２４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２５】
上述した実施形態では、携帯電話機１０を例示したが、図４に示すように、携帯電話機１０の代わりに、パーソナルコンピュータ１１０を用いてもよい。
【００２６】
また、上述した実施形態では、製本サーバ２０が生成した印刷データを基に、製本する場合を例示したが、Ｔシャツ等の衣服、その他の商品に印刷を施してもよい。
【００２７】
また、上述した実施形態では、データベース４６は製本に関する複数のテンプレートデータを記憶している場合を例示したが、製本以外の衣服への印刷等、その他の種類のテンプレートデータを用意してもよい。
【産業上の利用可能性】
【００２８】
本発明は、携帯電話等のカメラで撮像した画像を用いて本を製作するために用いられる製本サービスシステムに適用可能である。
【符号の説明】
【００２９】
１…写真集製本システム
１０…携帯電話機
２０…製本サーバ
３０…製本装置
４２，４４，４６…データベース
４８…製本プログラム
【図１】
2011039888.tif 000003
【図２】
2011039888.tif 000004
【図３】
2011039888.tif 000005
【図４】
2011039888.tif 000006